(57)【特許請求の範囲】
【請求項１】
軸状部と該軸状部の一方端に冠着されたキャップ部とから構成される軸状製品を収納するブリスタ包装体であって、
上面が開口し、前記キャップ部が該開口から収納される凹部を備えた収納部を具備し、
前記収納部には、前記キャップ部を前記凹部に収納した状態にて前記軸状部の他方端側が位置する部分に、前記凹部と外部とを連通させる溝部が形成され、
前記溝部は、前記軸状製品の軸状部を挿入可能な内幅を有し、且つ前記キャップ部を前記凹部に収納した状態にて、前記キャップ部の端面に対応する領域の、少なくとも一部の領域の内幅が前記キャップ部の外径よりも小さく形成されてなり、
前記軸状製品を、その前記キャップ部が前記凹部に収納されるとともに、その軸状部が前記溝部に挿入され且つその前記他方端が外方に突出して、該軸状部を前記キャップ部からその軸方向に引き抜き可能な状態で収納するように構成されていることを特徴とするブリスタ包装体。
【請求項２】
前記凹部は、前記キャップ部を遊嵌状態で収納する大きさを有することを特徴とする請求項１に記載のブリスタ包装体。
【請求項３】
前記収納部の上方から前記凹部を覆う蓋部を備えていることを特徴とする請求項１または２に記載のブリスタ包装体。
【請求項４】
前記蓋部は前記収納部の凹部開口部に嵌合する凸部を備え、
前記蓋部の凸部が、前記収納部の凹部開口部に嵌合することで、該凹部を覆うように構成されていることを特徴とする請求項３記載のブリスタ包装体。
【請求項５】
前記凹部開口部に嵌合する凸部には、その嵌合側の面に前記キャップ部が収まる逃げ部が形成されていることを特徴とする請求項４に記載のブリスタ包装体。
【請求項６】
前記蓋部は、帯状の連結体を介して折り返し可能に前記収納部に連結されていることを特徴とする請求項３乃至５に記載のいずれかのブリスタ包装体。
【請求項７】
前記蓋部は、前記凹部を被覆した状態で、前記収納部の背面に折り返されるフラップを備え、
前記フラップが、折り返された状態で前記収納部の背面に係着されることを特徴とする請求項６に記載のブリスタ包装体。
【発明の詳細な説明】
【技術分野】
【０００１】
本発明は、軸状製品を収納し、展示することのできるブリスタ包装体に関する。
【背景技術】
【０００２】
従来、化粧品，食品等の各種分野においては、製品をブリスタ包装体と呼ばれるもので包装し、展示，販売するということが行われている。そして、このブリスタ包装体の基本的な構成を備えるものとして、例えば特開２００５−２４７３６３号に記載のものが知られている。同号記載の包装容器は、被包装物を収納する容器本体部と該容器本端部を覆う蓋体部とを有する容器部と前記容器部を保持する基板部とを備えており、容器本体部と蓋体部とで基板部を挟持することにより、容器部を基板部に保持する構成となっている。
【０００３】
ところで、化粧品の中でも目の輪郭を強調するアイライナは、通常ペンシル形状の長尺構成となっている。アイライナは、レフィルと各種のレフィルを支持するホルダにより構成されており、レフィルとホルダとは、一般的に、個別のブリスタ包装体に収納されて別々に販売されている。利用者は、自らの嗜好や規格にあわせて、様々なレフィルとホルダとを別途購入し、両者を組み合わせて使用している。
【０００４】
図８は、アイライナのレフィル４（図中、二点鎖線で表現している）を収納する従来のブリスタ包装体５１を示す平面図である。同図に示されるように、従来のブリスタ包装体５１は、ケース５２に設けられた凹部５３によってレフィル４の全体を覆い包むと共に、ケース５２とケース５２に設けられた突起部に嵌合する嵌合部を備えた外枠部５４とを開閉するヒンジ構造５５を備えており、販売時にはこのヒンジ構造５５が閉じられた状態でケース５２と外枠部５４とが固く嵌合されている。凹部５３はその上面がやや狭くなっており、その内部に収納されたレフィル４が簡単には外れないようになっている。
【０００５】
図９は、図８のブリスタ包装体５１を矢視Ｂの正面方向から図示したもので、上記のヒンジ構造５５が開閉する様子を矢印で示したものである。利用者は、商品購入後に、ケース５２と外枠部５４との嵌合を解き、ヒンジ構造５５を開くことにより、ブリスタ包装体５１の内部からレフィル４を取り出していた。
【０００６】
図８ないし図９のようなブリスタ包装体５１の内部では、レフィル４は、その収納部分である凹部５３に設けられた留め具等に嵌合して係止状態で固定され、ブリスタ包装体５１の内部で不用意に回転したり、ブリスタ包装体５１から落下したりしない構造とされていることが多かった。
【０００７】
図１０は、レフィル４をホルダ６０に取り付けた使用状態を示す斜視図である。同図において、レフィル４からは、肌への着色を行うための中芯部６１が繰り出された状態となっており、利用者は、ペンシル形状のホルダ６０を把持することにより、中芯部６１を用いて肌への着色を行う。
【先行技術文献】
【特許文献】
【０００８】
【特許文献１】特開２００５−２４７３６３号
【発明の概要】
【発明が解決しようとする課題】
【０００９】
一般的に、アイライナのレフィルは、着色というアイライナ本来の機能を果たす中芯部と、この中芯部を内部に収納、保管し、利用者が軸状部の端部を適宜回動させるとその回動量に応じ中芯部を外部へと繰り出す繰り出し機構を備えた前記軸状部と、中芯部の乾燥防止および保護の目的で、前記軸状部に冠着されるキャップ部とから構成されている。
【００１０】
このうち、キャップ部は、揮発性の成分が多く含まれる中芯部を乾燥させず、内部の気密性を維持して品質を保持するため、蓋として軸状部に固く冠着される構成となっていることが多かった。このため、キャップ部を軸状部から取り外すには相当の力を必要とし、注意して力をかけないと、利用者の意図とは無関係に軸状部の繰り出し機構が作動して、軸状部から中芯部が飛び出す原因となっていた。
【００１１】
とりわけキャップ部が冠着したままの状態で、中芯部が軸状部から繰り出されると、繰り出された中芯部がキャップ部の内部に当接し、さらに、力が加わると、比較的柔らかな中芯部は、キャップ部内で折れてしまう、という問題が生じていた。
【００１２】
このような中芯折れの問題は、購入時にブリスタ包装体からレフィルを取り出す際にも生じる他、利用者がブリスタ包装体からレフィルを取り出した後、裸の状態で保管していたレフィルを利用する際にも頻繁に生じていた。特に、前記従来のブリスタ包装体５１のように、同包装体５１の内部においてレフィル４が係止状態とされていると、外部にレフィル４を取り出す際に、レフィル４の軸状部に無理な力がかかりやすく、その結果、軸状部の繰り出し機構が働いて、繰り出された中芯部が折れる中芯折れ現象の原因となっていた。
【００１３】
したがって、前記従来のブリスタ包装体５１では、前記ヒンジ構造の開閉が面倒であるうえ、仮に保管ケースとして再利用するとしても、レフィル４の出し入れの度に中芯折れのリスクが生じていた。すなわち、従来のブリスタ包装体５１では、レフィルの出し入れが煩雑であるだけでなく、開封時ないし開封後にせっかく購入したレフィルに中芯折れが生じる、という問題を解決することができなかった。
【００１４】
本発明は、以上の実情に鑑みなされたもので、利用者が軸状製品のキャップ部と軸状部とを簡便かつ安全に取り外せるブリスタ包装体の提供を、その目的とする。
【課題を解決するための手段】
【００１５】
上記目的を達成するための本発明は、軸状部と該軸状部の一方端に冠着されたキャップ部とから構成される軸状製品を収納するブリスタ包装体であって、上面が開口し、前記キャップ部が該開口から収納される凹部を備えた収納部を具備し、前記収納部には、前記キャップ部を前記凹部に収納した状態にて前記軸状部の他方端側が位置する部分に、前記凹部と外部とを連通させる溝部が形成され、前記溝部は、前記軸状製品の軸状部を挿入可能な内幅を有し、且つ前記キャップ部を前記凹部に収納した状態にて、前記キャップ部の端面に対応する領域の、少なくとも一部の領域の内幅が前記キャップ部の外径よりも小さく形成されてなり、前記軸状製品を、その前記キャップ部が前記凹部に収納されるとともに、その軸状部が前記溝部に挿入され且つその前記他方端が外方に突出して、該軸状部を前記キャップ部からその軸方向に引き抜き可能な状態で収納するように構成されたブリスタ包装体に係る。
【００１６】
前記軸状製品は、軸状部と該軸状部の一方端に冠着されたキャップ部とから構成されるが、これを収納するブリスタ包装体は、上面が開口し、前記キャップ部が該開口から収納される凹部を備えた収納部を具備している。そして、前記収納部には、前記キャップ部を前記凹部に収納した状態にて前記軸状部の他方端側が位置する部分に前記凹部と外部とを連通させる溝部が形成されており、この溝部は、前記軸状製品の軸状部を挿入可能な内幅を有し、且つ前記キャップ部を前記凹部に収納した状態にて、前記キャップ部の端面に対応する領域の、少なくとも一部の領域の内幅が前記キャップ部の外径よりも小さく形成されている。
【００１７】
上記の構成において、「キャップ部の端面に対応する領域」とは、キャップ部の端面外周部を前記軸状部の軸方向に投影した円筒領域内に含まれる領域をいう。すなわち、前記溝部は、前記軸状製品の軸状部を挿入可能な内幅を有し、且つ前記キャップ部を前記凹部に収納した状態にて、前記キャップ部の端面外周部を前記軸状部の軸方向に投影した円筒領域内に含まれる領域の、少なくとも一部の領域の内幅が前記キャップ部の外径よりも小さく形成されているので、前記キャップ部は、前記凹部内に係止され、前記溝部における通過が阻止される構造となっている。
【００１８】
前記溝部は、前記軸状製品の軸状部を挿入可能な内幅を有し、且つ前記キャップ部を前記凹部に収納した状態にて、前記キャップ部の端面に対応する領域の、少なくとも一部の領域の内幅が前記キャップ部の外径よりも小さく形成されるとは、前記溝部の略全周にわたって前記溝部の内幅が前記キャップ部の外径よりも小さく形成される態様を含むとともに、前記溝部の一部において内幅が狭くなることにより前記溝部の形状が実現されたり、前記溝部の一部において溝部内方に向けて突出する突起部等が形成されることにより前記溝部の形状が実現されたりしてもよい。
【００１９】
前記キャップ部を前記凹部に収納した状態で、前記軸状部は、前記溝部に挿入され且つその前記他方端が溝部より外方に突出した状態となる。これにより、利用者は、前記キャップ部を前記凹部に収納したままの状態で、ブリスタ包装体の外部に露出した前記軸状部を把持することができ、さらにそれを引くことで、軸状部をキャップ部から取り外すことが可能となる。
【００２０】
前記溝部は、前記キャップ部を前記凹部に収納した状態にて、前記キャップ部の端面に対応する領域の、少なくとも一部の領域の内幅が前記キャップ部の外径よりも小さく形成されているので、外部から軸状部を把持して引いても、キャップ部は前記溝部の少なくとも一部の壁に係止され、前記凹部から出ることはない。これに対して、前記溝部は、前記軸状製品の軸状部を挿入可能な内幅を有しているので、軸状部をある程度強く引けば、キャップ部を前記凹部に残留させたまま、軸状部だけを引き抜くことが可能となる。
【００２１】
これにより、利用者は、キャップ部に触れることなく、簡便に、軸状部をブリスタ包装体から抜き取ることができ、軸状部とキャップ部との冠着を的確に解くことが可能となる。本発明によれば、簡単に軸状部とキャップ部との冠着が解け、軸状部の取り出しができるため、仮に軸状部に中芯部の繰り出し機構等が備えられていたとしても、当該繰り出し機構が不用意に作動することはなく、中芯折れの問題は生じなくなる。
【００２２】
また、キャップ部を収納したままのブリスタ包装体は、軸状製品の保存ケースとしても再利用できるので、利用者は使い終わった軸状製品を、再び保存ケースとしてのブリスタ包装体に納めることができる。この場合、ブリスタ包装体を特に開封などする必要はなく、前記収納部の前記溝部から軸状部を挿入することにより、再びキャップ部を軸状部に冠着して簡便に収納することが可能となる。
【００２３】
例えば、軸状製品が、アイライナレフィルやリップライナレフィルであるような場合、本発明に係るブリスタ包装体を保存ケースとして再利用すれば、各レフィルの軸状部に備えられる繰り出し機構の誤操作による中芯折れの懸念がなくなり、さらに、簡便かつ安全にレフィルのコレクションを保管することが可能となる。
【００２４】
上記の構成において、前記凹部は、前記キャップ部を遊嵌状態で収納する大きさを有することが好ましい。
【００２５】
上記の構成によれば、前記凹部にキャップ部を収納する際に余裕幅のある状態で収納されるため、収納された前記凹部内でキャップ部は自由に回動することができる。したがって、仮に、軸状部が中芯部の繰り出し機構等を備えており、利用者が前記繰り出し機構を把持して回転させた場合でも、キャップ部は軸状部と一体化して前記凹部内で空転し、前記繰り出し機構に力がかかることがなくなる。それゆえ、中芯部が不用意に飛び出すことはなく、前記繰り出し機構の誤操作による中芯折れの懸念が生じなくなる。
【００２６】
上記の構成においては、前記収納部の上方から前記凹部を覆う蓋部を備えていることが好ましい。そうすれば、前記収納部の上方から蓋部で前記凹部に収納されたキャップ部を覆うことができるので、前記キャップ部を保持することによって、収納部内でキャップ部が強く揺動したり、キャップ部が収納部上方の開放部から落下したりすることを防止することが可能となる。
【００２７】
上記の構成においては、前記蓋部は前記収納部の凹部開口部に嵌合する凸部を備え、前記蓋部の凸部が、前記収納部の凹部開口部に嵌合することで、該凹部を覆うように構成されていることが好ましい。そうすれば、例えば、単なる平面状の蓋部によって、前記収納部の凹部を覆う場合と比較して、蓋部を前記収納部の凹部開口部に嵌合して安定的に固定することが可能となる。
【００２８】
上記の構成においては、前記凹部開口部に嵌合する凸部には、その嵌合側の面に前記キャップ部が収まる逃げ部が形成されていることが好ましい。そうすれば、凸部と凹部に収納されたキャップ部とが干渉することがないので、凸部を有する蓋部で凹部を覆う際でもキャップ部との干渉がなく、全体の構成をコンパクトにすることが可能となる。また、前記凹部内におけるキャップ部の自由な回動状態を保つことができる。
【００２９】
上記の構成においては、前記蓋部は、帯状の連結体を介して折り返し可能に前記収納部に連結されていることが好ましい。そうすれば、前記蓋部を前記収納部と一体的に構成することができ、例えば、同じ樹脂で真空成型することが容易となる。また、前記蓋部を前記収納部と一体的に樹脂形成すれば、前記蓋部と前記収納部とを各単独で樹脂形成する場合と比較して、樹脂の切り抜き回数を減らし、さらには、無駄な樹脂の消費を削減して樹脂材料を節減することも可能となる。
【００３０】
上記の構成においては、前記蓋部は、前記凹部を被覆した状態で、前記収納部の背面に折り返されるフラップを備え、前記フラップが、折り返された状態で前記収納部の背面に係着されることが好ましい。そうすれば、前記蓋部は、前記凹部を被覆した状態で、更に前記フラップを前記収納部の背面に折り返して係着し、蓋部による閉止を安定させることができる。これにより、ブリスタ包装体による軸状製品の保管性を高めるとともに、同包装体の搬送時や陳列時において不用意に蓋部が開くことを防止することが可能となる。また、このような蓋部を備えることにより、簡単に開封することができなくなるので、誤って軸状製品をブリスタ包装体から取り出すことがなくなる他、仮に軸状部に中芯部の繰り出し機構等が備えられていたとしても、利用者はキャップ部に触れないので、利用者がキャップ部を不用意に触った状態にて前記繰り出し機構が作動することはなく、中芯折れの問題は生じなくなる。
【発明の効果】
【００３１】
このように、本発明に係るブリスタ包装体によれば、利用者は、軸状製品のキャップ部と軸状部とを簡便かつ安全に取り外すことができる。
【図面の簡単な説明】
【００３２】
【図１】本発明の一実施形態に係るブリスタ包装体を示す斜視図である。
【図２】アイライナレフィルを収納した状態のブリスタ包装体を示す斜視図である。
【図３】図１に示したブリスタ包装体の平面図である。
【図４】図３における矢視Ａ方向の側面図である。
【図５】図２におけるＣ−Ｃ断面を示す断面図である。
【図６】台部に矢印模様を表示したブリスタ包装体を示す斜視図である。
【図７】（ａ）〜（ｄ）は、溝部Ｇの断面形状のバリエーションを示す模式図である。
【図８】従来のブリスタ包装体を示す平面図である。
【図９】図８における矢視Ｂ方向の正面図である。
【図１０】アイライナレフィルをホルダに取り付けた使用状態を示す斜視図である。
【発明を実施するための形態】
【００３３】
以下、図面に基づいて、本発明の具体的な実施形態について説明する。
【００３４】
図１は、本実施形態に係るブリスタ包装体１を示す斜視図である。同図に示されるように、このブリスタ包装体（以下、単に「包装体」という）１は、上面が開口し、この開口からアイライナのレフィル４のキャップ部４ｂを収納する凹部３を備えたケース２と、このケース２に連なる台部１０および連結体１１から構成されている。図中レフィル４は二点鎖線で表現している。
【００３５】
包装体１を構成するケース２，台部１０，連結体１１は、ＰＥＴ等の透明な薄い樹脂シートを真空一体成形して形成されるものであり、このような一枚シートから成形される包装体１は、低コストで製造することが可能である。なお、包装体１の材質は、ＰＥＴ樹脂には限られず、ポリプロピレン樹脂、ポリスチレン樹脂、ポリ塩化ビニル樹脂などから構成されてもよい。販売時には、この包装体１の全体が、更に直方体状の外装箱に収められるなどして、搬送，陳列等される。
【００３６】
レフィル４は、軸状部４ａとキャップ部４ｂとから構成されるとともに、軸状部４ａの端部に繰り出し機構４ｃを備えており、繰り出し機構４ｃを適宜回転させると、軸状部４ａの内部からキャップ部４ｂの方向に中芯部が繰り出される構造になっている。
【００３７】
図１に示すように、ブリスタ包装体１のケース２は、収納するキャップ部４ｂがすっぽり収まるような、キャップ部４ｂの外形と概略同様な形状をした凹部３を備えており、さらに、凹部３の両側に断面台形状の補助凹部３ａを備えた構成である。この補助凹部３ａは、蓋部１３（後述）が開いた状態において、利用者が、凹部３の上方からキャップ部４ｂを出し入れする際に指等を入れやすくするための構成である。また、凹部３は、キャップ部４ｂを遊嵌状態で収納する大きさを有することが好ましい。
【００３８】
また、図１に示されるように、凹部３を備えるケース２には、キャップ部４ｂを凹部３に収納した状態にて軸状部４ａの他方端側が位置する部分に、凹部３と外部とを連通させる溝部Ｇが形成されている。この溝部Ｇは、軸状部４ａを挿入可能な内幅を有し、且つキャップ部４ｂを凹部３に収納した状態にて、キャップ部４ｂの端面に対応する領域の、少なくとも一部の領域の内幅がキャップ部４ｂの外径よりも小さく形成されている。この結果、レフィル４は、そのキャップ部４ｂが凹部３に収納される一方、その軸状部４ａが溝部Ｇに挿入され且つその前記他方端が外方に突出した状態で収納されることになる。
【００３９】
すなわち、キャップ部４ｂを冠着した軸状部４ａは、ケース２の溝部Ｇより外方に露出した状態となっており、利用者は、キャップ部４ｂを凹部３に収納したままの状態で軸状部４ａを把持し、軸状部４ａをケース２とは逆側に引くことで、軸状部４ａをキャップ部４ｂから取り外すことが可能となっている。もちろん、この動作を逆にすれば、ケース２の外部から軸状部４ａにキャップ部４ｂを冠着させることができる。
【００４０】
台部１０は、ケース２と略同幅で矩形をした支持台部分であり、軸状部４ａを背もたれ状態にて、キャップ部４ｂと略同じ高さに支持している。台部１０の支持により、軸状部４ａがぐらついて、繰り出し機構４ｃが不用意に作動したり、内部の中芯部が傷ついたりするのを防止するほか、軸状部４ａが外装箱に直接接触することを防いでいる。
【００４１】
また、図１に示すように、連結体１１は、第１側面部１２，蓋部１３（および凸部１３ａ），第２側面部１４，フラップ１５が連結された構成となっている。すなわち、蓋部１３は、帯状の連結体１１を介して折り返し可能にケース２に連結されている。そして、連結体１１における所定の折り目部分（図１における破線部分）を折り返すことで、第１側面部１２はケース２の手前側側面を覆う一方、蓋部１３はケース２のキャップ部４ｂの上面に覆い被さり、その凸部１３ａが凹部３に嵌合する構成となっている。すなわち、蓋部１３の凸部１３ａが、凹部３の開口部に嵌合することで、凹部３を覆うように構成されている。
【００４２】
さらに、このような嵌合が行われる際、凸部１３ａがキャップ部４ｂと干渉することがないよう、凸部１３ａには、その嵌合側の面にキャップ部４ｂが収まる逃げ部が形成されている。このような逃げ部を備えることにより、凸部１３ａを備える蓋部１３で凹部３を覆う際にキャップ部４ｂとの干渉がなくなるので、蓋部１３の構成をコンパクトにすることが可能となる。また、凹部３内におけるキャップ部４ｂの自由な回動状態を保つことができる。
【００４３】
そして、連結体１１の第２側面部１４は、ケース２において、第１側面部１２が覆う手前側側面と対向する位置の奥側側面を覆う一方、フラップ１５は、ケース２の背面、すなわち前記奥側側面の裏面側にしっかりと折り込まれることにより係着される構造となっている（図５参照）。換言すれば、蓋部１３（連結体１１）は、凹部３を被覆した状態で、ケース２の背面に折り返されるフラップ１５を備え、フラップ１５は、折り返された状態でケース２の背面に係着される構造となっている。このフラップ１５により、蓋部１３の閉止を安定させることができる。
【００４４】
以上の構成を備えた包装体１によれば、以下のようにして、レフィル４を収納することができる。
【００４５】
まず、レフィル４のキャップ部４ｂを、ケース２の凹部３にその上方から収納し、しかる後、連結体１１を所定の各折り目（第１側面部１２，蓋部１３，第２側面部１４，フラップ１５の各境界線）に従って折り返し、第１側面部１２にてケース２の一方の側面を覆い、蓋部１３の凸部１３ａをケース２の凹部３に嵌合させる。このとき、蓋部１３の凸部１３ａは、ケース２の上方からキャップ部４ｂの収納部分を被覆し、ケース２の凹部３に嵌合するとともに、凹部３に倣ってキャップ部４ｂを収納する凹部形状となっている。
【００４６】
そして、連結体１１の第２側面部１４にてケース２の他方の側面を覆い、最後の折り返しとして、フラップ１５をケース２の背面（他方の側面の裏面）に折り込むことにより、図２に示すように、包装体１によるレフィル４の収納が完成する。
【００４７】
図３は、本実施形態に係る包装体１を示す平面図であり（図中レフィル４は二点鎖線で表現している）、図１の包装体１をその上方から見た構成に相当するものである。そして、図４は、図３の矢示方向から見た同包装体１の側面図である。図３に示されるように、前記包装体１は上方からみるとＴ字状の構成となっており、この構成のうち、連結体１１が折り畳まれることにより、図２のような直方体形状となる。
【００４８】
図５は、図２におけるＣ−Ｃ断面を示す断面図である。図５によれば、包装体１においては、連結体１１のうち、第１側面部１２および第２側面部１４がケース２の両側面を覆う一方、蓋部１３がケース２の上方を覆い、フラップ１５がケース２の背面に折り込まれるように構成されることがよくわかる。すなわち、蓋部１３は凹部３を被覆した状態で、更にフラップ１５をケース２の背面に折り返して係着し、蓋部１３による閉止を安定させることができる。
【００４９】
以上のように、この包装体１によれば、真空一体成形された連結体１１を折り返し、蓋部１３の凸部１３ａを凹部３に嵌合させ、フラップ１５をケース２の背面に折り返すといった、単純かつ簡単な操作により、レフィル４を包装することができるとともに、これを剥がし難くし、誤操作による事故を未然に防ぐことができる。
【００５０】
この包装体１によれば、キャップ部４ｂを凹部３に収納した状態で、軸状部４ａは溝部Ｇより外方に突出した状態となるので、これにより、利用者は、キャップ部４ｂを凹部３に収納したままの状態で、包装体１の外部に露出した軸状部４ａを把持し、キャップ部４ｂを自由に抜き差しすることが可能となる。
【００５１】
なお、誤操作による事故を未然に防ぐという観点からは、図６に示すように、包装体１の台部１０に、軸状部４ａないし繰り出し機構４ｃの方向を指し示す矢印模様を表示しておくことにより、利用者に、キャップ部４ｂではなく、包装体１の外部に露出した軸状部４ａを持って、矢印方向に抜き取るように案内することも好ましい。このような案内は、利用者が最初にレフィル４を使用する際にとりわけ有効である。
【００５２】
また、このように施蓋された包装体１においては、キャップ部４ｂはぐらつかず保持される一方、包装体１の内部で遊嵌状態となっているので回動自在であり、仮に利用者の誤操作によって、レフィル４の繰り出し機構４ｃに回転するような力がかかったとしても、軸状部４ａおよびキャップ部４ｂが前記繰り出し機構４ｃと共に回転するので、繰り出し機構４ｃは働かず、中芯部が繰り出される恐れはない。すなわち、この包装体１に保持されている限り、レフィル４の中芯折れの問題は生じない。
【００５３】
本実施形態の包装体１は、開封に際して、ケース２，台部１０，連結体１１の損傷を伴わないので、開封後に、この包装体１を、レフィル４の保存ケースとしても、再利用することができる。実際、利用者は、レフィル４をその色彩や規格などに応じて多数種類保有することが多く、この包装体１を保存ケースとして再利用することにより、多数のレフィル４を散逸しない良好な収納状態で保存でき、軸状部４ａとキャップ部４ｂとを安全かつ簡便に着脱できる。
【００５４】
上記の説明では、アイライナレフィル４を用いて、包装体１による包装例を説明したが、本発明のブリスタ包装体による包装対象はこれに限られず、例えばリップライナレフィルなど、各種の軸状製品を広く包装対象とすることができる。
【００５５】
以上、本発明の実施形態について説明したが、本発明の採り得る具体的な態様は、何らこれに限定されるものではない。
【００５６】
例えば、上記の説明では、軸状部４ａを挿入可能な内幅を有し、且つキャップ部４ｂを凹部３に収納した状態にてキャップ部４ｂの端面に対応する領域の少なくとも一部の領域の内幅がキャップ部４ｂの外径よりも小さく形成されている溝部Ｇの例として、その断面が略Ｕ字状となっているものを説明したが（図４参照）、溝部Ｇの断面形状は、図７（ａ）に再掲したＵ字状のものに限られず、図７（ｂ）に示した長方形状、図７（ｃ）に示したフラスコ形状、図７（ｄ）に示した壺状など、上記条件を満たす任意の形状を採用することができる。図７（ａ）〜（ｄ）のいずれにおいても、レフィル４は二点鎖線で表現しているが、これら図面から読み取れるように、キャップ部４ｂは、溝部Ｇにおける通過が阻止される一方、軸状部４ａは、溝部Ｇを自在に通過できる構造となっている。
【産業上の利用可能性】
【００５７】
以上説明したように、本発明は、軸状製品を収納し、展示することのできるブリスタ包装体に好適に利用できるものである。
【符号の説明】
【００５８】
１      ブリスタ包装体
２      ケース
３      凹部
４      レフィル
４ａ    軸状部
４ｂ    キャップ部
４ｃ    繰り出し機構
１０    台部
１１    連結体
１３    蓋部
１３ａ  凸部
１５    フラップ
Ｇ      溝部
【図１】
0005833431.tif 000002
【図２】
0005833431.tif 000003
【図３】
0005833431.tif 000004
【図４】
0005833431.tif 000005
【図５】
0005833431.tif 000006
【図６】
0005833431.tif 000007
【図７】
0005833431.tif 000008
【図８】
0005833431.tif 000009
【図９】
0005833431.tif 000010
【図１０】
0005833431.tif 000011